(57)【特許請求の範囲】
【請求項１】
デジタルテレビジョン信号又はアナログテレビジョン信号が入力される二つの混合器と、前記二つの混合器に局部発振信号を入力する局部発振器と、二つの混合器の一方に入力される局部発振信号の位相を９０°シフトする第一の移相器とを備え、前記デジタルテレビジョン信号を受信するときは前記局部発振信号の周波数を前記受信するデジタルテレビジョン信号の周波数と一致させると共に、前記二つの混合器から位相が互いに直交する二つのベースバンド信号を別個に出力し、前記アナログテレビジョン信号を受信するときは前記局部発振信号の周波数を前記受信するアナログテレビジョン信号の周波数とは所定周波数異ならせると共に、前記二つの混合器からは前記所定周波数に周波数変換されて位相が互いに９０°異なる二つのアナログ中間周波信号を別個に出力し、前記アナログ中間周波信号の一方の位相を９０°シフトすると共に他方のアナログ中間周波信号に加算したことを特徴とするテレビジョンチューナ。
【請求項２】
前記二つの混合器のそれぞれの次段にローパスフィルタとハイパスフィルタとを併設し、前記ローパスフィルタから前記ベースバンド信号を出力し、前記ハイパスフィルタから前記アナログ中間周波信号を出力したことを特徴とする請求項１記載のテレビジョンチューナ。
【請求項３】
前記ローパスフィルタのカットオフ周波数と前記ハイパスフィルタのカットオフ周波数を前記ベースバンド信号の最高周波数以上で且つ前記所定周波数以下としたことを特徴とする請求項２記載のテレビジョンチューナ。
【請求項４】
前記ローパスフィルタのカットオフ周波数を２ＭＨｚ乃至３０ＭＨｚの範囲で変えられるようにしたことを特徴とする請求項２又は３記載のテレビジョンチューナ。
【発明の詳細な説明】
【０００１】
【発明の属する技術分野】
この発明は、アナログテレビジョン信号またはデジタルテレビジョン信号を受信可能なテレビジョンチューナに関する。
【０００２】
【従来の技術】
図２は、発明者らが従来から考えていた、アナログテレビジョン信号とデジタルテレビジョン信号とを受信可能なテレビジョンチューナ（以下共用チューナという）の構成を示す回路図である。
【０００３】
図２において、バンドパスフィルタ２１には、屋外のダウンコンバータ（図示せず）によって１乃至２ＧＨｚに周波数変換された衛星放送用のアナログテレビジョン信号又はデジタルテレビジョン信号が入力される。これらテレビジョン信号は増幅器２２で増幅され、次段のバンドパスフィルタ２３から出力される。
【０００４】
バンドパスフィルタ２３から出力されるデジタルテレビジョン信号はＩ／Ｑ復調器２４を構成する二つの混合器２４ａ、２４ｂに入力される。混合器２４ａ、２４ｂには局部発振器２５から出力される局部発振信号が入力される。局部発振周波数は受信するデジタルテレビジョン信号の周波数と等しくなっている。また、一方の混合器２４ｂには移相器２６を介して局部発振信号が入力されるので、互いの局部発振信号の位相は９０°異なっている。そして、混合器２４ａ、２４ｂからは位相が互いに直交関係にあるベースバンド信号（Ｉ信号、Ｑ信号）がそれぞれ出力される。各ベースバンド信号はローパスフィルタ２７、２８を介して出力され、図示しないデジタル処理回路によって処理される。
【０００５】
一方、バンドパスフィルタ２３から出力されるアナログテレビジョン信号は混合器２９に入力され、局部発振器３０から入力される局部発振信号と混合されて受信するチャンネルのアナログテレビジョン信号のみが所定の周波数（例えば中心周波数４８０ＭＨｚ）の中間周波信号に変換される。中間周波信号はバンドパスフィルタ３１を介して出力され、図示しないアナログ処理回路によって処理される。
【０００６】
バンドパスフィルタ３１は、隣接するデジタルテレビジョン信号による妨害を避けるために急峻な選択度特性（スカート特性）を必要とするのでＳＡＷフィルタによって構成される。そして、衛星から送信されるアナログテレビジョン信号の１チャンネルの帯域は通常２４乃至２７ＭＨｚであるが、放送衛星によっては３０ＭＨｚ以上の広い帯域を有しているテレビジョン信号も存在するので、その通過帯域は約３６ＭＨｚ程度としている。
【０００７】
【発明が解決しようとする課題】
しかし、従来の共用チューナでは、アナログテレビジョン信号は混合器２９によって周波数変換され、しかも、入力されるアナログテレビジョン信号の周波数範囲内にイメージ周波数が存在するため、アナログテレビジョン信号を受信した場合は、デジタルテレビジョン信号を受信する場合に比較してイメージ信号による妨害が大きかった。
【０００８】
そこで、本発明のテレビジョンチューナは、アナログテレビジョン信号の受信に際してイメージ妨害が起きないようにする事を目的とする。
【０００９】
【課題を解決するための手段】
上記の課題を解決するため、本発明のテレビジョンチューナは、デジタルテレビジョン信号又はアナログテレビジョン信号が入力される二つの混合器と、前記二つの混合器に局部発振信号を入力する局部発振器と、二つの混合器の一方に入力される局部発振信号の位相を９０°シフトする第一の移相器とを備え、前記デジタルテレビジョン信号を受信するときは前記局部発振信号の周波数を前記受信するデジタルテレビジョン信号の周波数と一致させると共に、前記二つの混合器から位相が互いに直交する二つのベースバンド信号を別個に出力し、前記アナログテレビジョン信号を受信するときは前記局部発振信号の周波数を前記受信するアナログテレビジョン信号の周波数とは所定周波数異ならせると共に、前記二つの混合器からは前記所定周波数に周波数変換されて位相が互いに９０°異なる二つのアナログ中間周波信号を別個に出力し、前記アナログ中間周波信号の一方の位相を９０°シフトすると共に他方のアナログ中間周波信号に加算した。
【００１０】
また、前記二つの混合器のそれぞれの次段にローパスフィルタとハイパスフィルタとを併設し、前記ローパスフィルタから前記ベースバンド信号を出力し、前記ハイパスフィルタから前記アナログ中間周波信号を出力した。
【００１１】
また、前記ローパスフィルタのカットオフ周波数と前記ハイパスフィルタのカットオフ周波数を前記ベースバンド信号の最高周波数以上で且つ前記所定周波数以下とした。
【００１２】
また、前記ローパスフィルタのカットオフ周波数を２ＭＨｚ乃至３０ＭＨｚの範囲で変えられるようにした。
【００１３】
【発明の実施の形態】
図１は、アナログテレビジョン信号またはデジタルテレビジョン信号を受信可能な本発明のテレビジョンチューナ（以下共用チューナという）の構成を示す回路図である。
【００１４】
図１において、バンドパスフィルタ１には、屋外のダウンコンバータ（図示せず）によって１乃至２ＧＨｚに周波数変換された衛星放送用のアナログテレビジョン信号又はデジタルテレビジョン信号が入力される。
デジタルテレビジョン信号の１チャンネルの帯域は、一般的にはアナログテレビジョン信号の帯域よりも広いが、その値は送信する放送衛星の違いによって異なり５ＭＨｚ乃至６０ＭＨｚの範囲である。また、アナログテレビジョン信号の帯域も放送衛星の違いによって異なっており、２４ＭＨｚ乃至２７ＭＨｚである。
これらテレビジョン信号は増幅器２で増幅され、次段のバンドパスフィルタ３から出力される。
【００１５】
バンドパスフィルタ３から出力されるアナログテレビジョン信号又はデジタルテレビジョン信号は一対の混合器４ａ、４ｂに入力される。混合器４ａ、４ｂには局部発振器５から出力される局部発振信号が入力される。局部発振周波数は、デジタルテレビジョン信号を受信する場合とアナログテレビジョン信号を受信する場合とで異なり、デジタルテレビジョン信号を受信する場合は、受信するデジタルテレビジョン信号の周波数と等しく、また、アナログテレビジョン信号を受信する場合は受信するテレビジョン信号の周波数に対して所定周波数だけシフトした（例えば４８０ＭＨｚ高い）周波数となっている。また、混合器４ｂには第一の移相器６を介して局部発振信号が入力されるので、混合器４ａと混合器４ｂとに入力される局部発振信号の位相は互いに９０°異なっている。
【００１６】
そして、デジタルテレビジョン信号を受信する場合は、混合器４ａ、４ｂから位相が互いに直交関係にある、デジタルベースバンド信号が出力され、アナログテレビジョン信号を受信する場合は所定周波数（４８０ＭＨｚ）に周波数変換されたアナログのテレビジョン信号（以下アナログ中間周波信号という）が出力される。各混合器４ａ、４ｂから出力されたデジタルベースバンド信号はそれぞれ一対のローパスフィルタ７、８を介して出力される。ローパスフィルタ７、８は集積回路化され、そのカットオフ周波数はベースバンド信号のスペクトラムの最高周波数に対応して２ＭＨｚ乃至３０ＭＨｚの範囲で外部から変更できるようになっている。そしてローパスフィルタ７、８から出力されたデジタルのベースバンド信号は図示しないデジタル処理回路によって処理される。
【００１７】
一方、混合器４ａ、４ｂから出力されるアナログ中間周波信号はそれぞれ一対のハイパスフィルタ９、１０に入力される。そして、ハイパスフィルタ１０を通過したアナログ中間周波信号は第二の移相器１１を介して加算器１２に入力され、ハイパスフィルタ９を通過したアナログ中間周波信号はそのまま加算器１２に入力される。
【００１８】
ここで、一方の混合器４ｂ及び一方のハイパスフィルタ１０を通過したアナログ中間周波信号ＩＦ1を数式１で表すとすれば、他方の混合器４ａ及び他方のハイパスフィルタ９を通過したアナログ中間周波信号ＩＦ2は数式２で表される。
【数１】
0003714851.tif 000002
【数２】
0003714851.tif 000003
数式１及び数式２において、ω0は局部発振周波数、ω1は受信するアナログテレビジョン信号の周波数、ω2はイメージ信号の周波数である。
【００１９】
一方、第二の移相器１１はヒルベルトフィルタ等によって構成されており、入力されたアナログ中間周波信号ＩＦ2の位相を９０°シフトするので、移相器１１を通過したアナログ中間周波信号ＩＦ2′は数式３となる。
【数３】
0003714851.tif 000004
【００２０】
従って、数式１及び数式３で示される二つのアナログ中間周波信号が加算されることによって、加算器１３から出力されるアナログ中間周波信号ＩＦは数式４となり、イメージ信号による周波数成分（ω２−ω０）がキャンセルされる。
【数４】
0003714851.tif 000005
そして、加算器１３から出力されるアナログ中間周波信号はＳＡＷフィルタを介して図示しない中間周波回路に入力される。
【００２１】
なお、以上の説明では衛星放送のテレビジョン信号を受信するチューナについて述べたが、これに限ることなく、いわゆる地上波のテレビジョン信号を受信するチューナに適用出来ることは言うまでもない。
【００２２】
【発明の効果】
以上のように、本発明のテレビジョンチューナは、デジタルテレビジョン信号を受信するときは局部発振信号の周波数をデジタルテレビジョン信号の周波数と一致させると共に、二つの混合器から位相が互いに直交する二つのベースバンド信号を別個に出力し、アナログテレビジョン信号を受信するときは局部発振信号の周波数をアナログテレビジョン信号の周波数とは所定周波数異ならせると共に、二つの混合器からは所定周波数に周波数変換されて位相が互いに９０°異なる二つのアナログ中間周波信号を別個に出力し、アナログ中間周波信号の一方の位相を９０°シフトすると共に他方のアナログ中間周波信号に加算したので、アナログテレビジョン信号を受信する場合にイメージ信号による妨害をなくすことが出来る。
【００２３】
また、二つの混合器のそれぞれの次段にローパスフィルタとハイパスフィルタとを併設し、ローパスフィルタからベースバンド信号を出力し、ハイパスフィルタからアナログ中間周波信号を出力したので、デジタルテレビジョン信号に基づくベースバンド信号によってアナログ中間周波信号が妨害を受けないようにできる。
【００２４】
また、ローパスフィルタのカットオフ周波数とハイパスフィルタのカットオフ周波数をベースバンド信号の最高周波数以上で且つ所定周波数以下としたので、
【００２５】
また、ローパスフィルタのカットオフ周波数を２ＭＨｚ乃至３０ＭＨｚの範囲で変えられるようにしたので、
【図面の簡単な説明】
【図１】本発明のテレビジョンチューナのブロック構成図である。
【図２】従来のテレビジョンチューナのブロック構成図である。
【符号の説明】
１  バンドパスフィルタ
２  高周波増幅器
３  バンドパスフィルタ
４ａ、４ｂ  混合器
５  局部発振器
６  第一の移相器
７、８  ローパスフィルタ
９、１０  ハイパスフィルタ
１１  第二の移相器
１２  加算器
１３  ＳＡＷフィルタ
【図１】
0003714851.tif 000006
【図２】
0003714851.tif 000007